(57)【要約】【課題】取手の取り付け構成をコンパクトにした炊飯器を提供する。【解決手段】本体筐体１１１と、前記本体筐体１１１の左右両側面に回動可能に取り付けられる取手１１２とを備え、前記本体筐体１１１の左右両側面の各々に穴部Ｃｐ，Ｃｐが形成され、前記穴部Ｃｐ，Ｃｐの内周面に凸部１１１ｘ，１１１ｘが形成され、前記取手１１２の左右の基部１１２Ｌ，１１２Ｒの各々は前記穴部Ｃｐ，Ｃｐに挿入され、前記取手１１２の左右の基部１１２Ｌ，１１２Ｒの各々の外周面に前記凸部１１１ｘ，１１１ｘを挟む凹部１１２ｃ，１１２ｃが形成される、炊飯器１００が提供される。【選択図】図６
2020192054.tif 000002
【特許請求の範囲】
【請求項１】
本体筐体と、
前記本体筐体の左右両側面に回動可能に取り付けられる取手とを備え、
前記本体筐体の左右両側面の各々に穴部が形成され、
前記穴部の内周面に凸部が形成され、
前記取手の左右の基部の各々は前記穴部に挿入され、
前記取手の左右の基部の各々の外周面に前記凸部を挟む凹部が形成される、炊飯器。
【請求項２】
前記凹部は、前記取手の左右の基部の各々の外周面の一部にだけ形成され、
前記凹部の面が前記凸部に当接することによって前記取手の回動が規制される、請求項１に記載の炊飯器。
【請求項３】
前記取手の左右の一方の基部の径が、前記取手の左右の他方の基部の径よりも大きく、
前記本体筐体の左右の一方の穴の径が、前記本体筐体の左右の他方の穴の径よりも大きく、
前記取手の左右の一方の基部の径が、前記本体筐体の左右の他方の穴の径よりも大きい、請求項１または２に記載の炊飯器。
【請求項４】
前記取手の左右の一方の基部の前記凹部よりも先の長さが、前記取手の左右の他方の基部の前記凹部よりも先の長さよりも大きく、
前記本体筐体の左右の一方の穴の前記凸部よりも奥の深さが、前記本体筐体の左右の他方の穴の前記凸部よりも奥の深さよりも大きく、
前記取手の左右の一方の基部の前記凹部よりも先の長さが、前記本体筐体の左右の他方の穴の前記凸部よりも奥の深さよりも大きい、請求項１から３のいずれか１項に記載の炊飯器。
【請求項５】
前記穴部の少なくとも一部および前記凸部が、前記炊飯器の本体筐体を構成する保護枠または板金に設けられる、請求項１から４のいずれか１項に記載の炊飯器。
【請求項６】
前記凹部の側面と前記凸部の側面とが常に当接するように構成され、両者の摩擦力が前記取手の回動の制動力となる、請求項１から５のいずれか１項に記載の炊飯器。
【発明の詳細な説明】
【技術分野】
【０００１】
本発明は、炊飯器の技術に関する。
【背景技術】
【０００２】
たとえば炊飯器の従来技術として、特開２０１０−２５９６１０号公報（特許文献１）には、「内鍋を炊飯器本体に支持する上枠に、上枠と対向する上枠立ち壁を、上枠の外側とボディの内側の間に設け、ボディに設けられたハンドル挿入用の穴と連通するハンドル取付け用の穴を有する側壁を上枠立ち壁の外側とボディの内側の間に設け、側壁には、側壁から上枠の内鍋側に連なる補強リブを有し、側壁と補強リブと上枠立ち壁とで開口部を下方に有する箱形状で上枠のハンドル取付け部を形成し、ボディには上枠のハンドル取付け部の開口部の下方に開口部を塞ぐようにリブを配したので内鍋外面から放出される熱を炊飯器本体内部に留めることができ、内鍋全体の温度分布を均一することができるので、優れた保温性能と省エネルギー効果を発揮する炊飯器を実現できる。」ということが開示されている。
【先行技術文献】
【特許文献】
【０００３】
【特許文献１】特開２０１０−２５９６１０号公報
【発明の概要】
【発明が解決しようとする課題】
【０００４】
本発明の目的は、取手の取り付け構成をコンパクトにした炊飯器を提供することにある。
【課題を解決するための手段】
【０００５】
本発明の一局面においては、本体筐体と、前記本体筐体の左右両側面に回動可能に取り付けられる取手とを備え、前記本体筐体の左右両側面の各々に穴部が形成され、前記穴部の内周面に凸部が形成され、前記取手の左右の基部の各々は前記穴部に挿入され、前記取手の左右の基部の各々の外周面に前記凸部を挟む凹部が形成される、炊飯器が提供される。
【０００６】
上記の構成によれば、取手の取り付け構成をコンパクトにした炊飯器が提供される。
【０００７】
好ましくは、前記凹部は、前記取手の左右の基部の各々の外周面の一部にだけ形成され、前記凹部の面が前記凸部に当接することによって前記取手の回動が規制される。
【０００８】
上記の構成によれば、取手の回動が記載される。
【０００９】
好ましくは、前記取手の左右の一方の基部の径が、前記取手の左右の他方の基部の径よりも大きく、前記本体筐体の左右の一方の穴の径が、前記本体筐体の左右の他方の穴の径よりも大きく、前記取手の左右の一方の基部の径が、前記本体筐体の左右の他方の穴の径よりも大きい。
【００１０】
上記の構成によれば、取手の左右を間違えて取り付ける可能性を低減することができる。
【００１１】
好ましくは、前記取手の左右の一方の基部の前記凹部よりも先の長さが、前記取手の左右の他方の基部の前記凹部よりも先の長さよりも大きく、前記本体筐体の左右の一方の穴の前記凸部よりも奥の深さが、前記本体筐体の左右の他方の穴の前記凸部よりも奥の深さよりも大きく、前記取手の左右の一方の基部の前記凹部よりも先の長さが、前記本体筐体の左右の他方の穴の前記凸部よりも奥の深さよりも大きい。
【００１２】
上記の構成によれば、取手の左右を間違えて取り付ける可能性を低減することができる。
【００１３】
好ましくは、前記穴部の少なくとも一部および前記凸部が、前記炊飯器の本体筐体を構成する保護枠または板金に設けられる。
【００１４】
上記の構成によれば、取手を強固に取り付けられる。
【００１５】
好ましくは、前記凹部の側面と前記凸部の側面とが常に当接するように構成され、両者の摩擦力が前記取手の回動の制動力となる。
【００１６】
上記の構成によれば、取手がゆっくりと倒れるようになる。
【図面の簡単な説明】
【００１７】
【図１】本実施の形態に係る炊飯器の正面図である。
【図２】本実施の形態に係る炊飯器の平面図である。
【図３】図１のＩ−Ｉ断面図である。
【図４】本実施の形態に係る炊飯器を図３のＩＩ−ＩＩ線で右半分だけを切断した部分断面図である。
【図５】本実施の形態に係る炊飯器を構成する側壁に取手を挿し込んだ状態の上方斜視図である。
【図６】本実施の形態に係る取手の平面図である。
【図７】本実施の形態に係る取手の基部の拡大平面図である。
【図８】本実施の形態に係る保護枠の嵌合凹部の下方から見た拡大斜視図である。
【図９】取手の変形例を示す平面図である。
【発明を実施するための形態】
【００１８】
＜炊飯器の全体構造＞
本発明の実施の形態に係る炊飯器１００は、誘導加熱式の圧力炊飯器であって、図１〜図４に示されるように、主に、本体１１０、内鍋１３０、蓋体１４０およびヒンジ機構１５０から構成される。以下、これらの構成要素について詳述する。
【００１９】
１．本体
本体１１０は、図１〜図４に示されるように、主に、筐体１１１、取手１１２、断熱材（図示せず）、誘導加熱コイル１１３、フェライトコア組立体１２１、サーミスタ１１４、送風ファン１１５、ヒートシンク１１６、操作パネル１１７、電源回路基板１１８、制御回路基板１１９および自動巻取式電源コードユニット１２０から構成される。以下、これらの構成要素について詳述する。
【００２０】
（１）筐体
筐体１１１は、主に、側壁１１１ａ、底壁１１１ｂ、肩部材１１１ｃ、保護枠１１１ｄおよび基板支持部材１１１ｅから構成されており、断熱材（図示せず）、誘導加熱コイル１１３、フェライトコア組立体１２１、サーミスタ１１４、送風ファン１１５、ヒートシンク１１６、電源回路基板１１８、制御回路基板１１９および自動巻取式電源コードユニット１２０等を収容している。また、肩部材１１１ｃの前側の上側には操作パネル１１７が配設されている。以下、筐体１１１の各構成要素について詳述した後に、肩部材１１１ｃ、保護枠１１１ｄおよび基板支持部材１１１ｅの締結構造について詳述する。
【００２１】
側壁１１１ａは、平面視において略長方形を呈する囲い壁であって、本体１１０の側面を覆っている。また、この側壁１１１ａには、図５に示されるように取手１１２が回動自在に取り付けられる。
【００２２】
底壁１１１ｂは、略方形の板状体であって、側壁１１１ａの下側に嵌め込まれており、側壁１１１ａの下側の開口を覆っている。そして、この底壁１１１ｂには、図３に示されるように、筐体１１１の外部の空気を内部に吸い込むための吸気口Ｏｓ、および、筐体１１１の内部の空気を外部に排出するための排気口（図示せず）が形成されている。なお、図３に示されるように、吸気口Ｏｓの直上には、送風ファン１１５が配設されている。この送風ファン１１５が駆動されると、吸気口Ｏｓを通って外部の空気が筐体１１１の内部に吸い込まれ、それによって生じる空気流れにより内部の加熱空気が排気口から系外に排出される。
【００２３】
肩部材１１１ｃは、略方形状の枠体であって、側壁１１１ａの上側に嵌合されており、側壁１１１ａの上側の開口の縁部を覆っている。そして、図３に示されるように、この肩部材１１１ｃの下側には、保護枠１１１ｄが取り付けられている。なお、図３に示されるように、保護枠１１１ｄはフランジ部ＦＰ（後述）で肩部材１１１ｃに取り付けられており、フランジ部ＦＰは肩部材１１１ｃを外側に向かって張り出させている。
【００２４】
保護枠１１１ｄは、内鍋１３０の外周を保護すると共に肩部材１１１ｃの形状を保持する役目を担う部材であって、ポリエチレンテレフタレート（ＰＥＴ）樹脂等の形状を保ちやすい材質から形成されている。そして、この保護枠１１１ｄは、主に、内鍋収容部ＰＡ、フランジ部ＦＰおよび支持部ＳＵから形成されている。内鍋収容部ＰＡは、内鍋１３０の外周を覆う椀状の部位である。フランジ部ＦＰは、上述の通り、肩部材１１１ｃの下側に配設されており、肩部材１１１ｃの後側の枠状部位を外側に向かって張ることにより肩部材１１１ｃの後側の枠状部位の形状を保持させている。支持部ＳＵは、肩部材１１１ｃの前側の枠状部位の後部を外側に向かって張ることにより肩部材１１１ｃの前側の枠状部位の後部の形状を保持させている。
【００２５】
基板支持部材１１１ｅは、制御回路基板１１９を支持する共に肩部材１１１ｃの前側の部位の形状を保持する役目を担う部材であって、ポリエチレンテレフタレート（ＰＥＴ）樹脂等の形状を保ちやすい材質から形成されている。
【００２６】
（２）取手
取手１１２は、使用者が炊飯器１００を手で持ち運ぶために設けられている部材であって、図４〜図７に示されるように、本体部分１１２ａおよび左右の軸部１１２Ｌ，１１２Ｒから構成されている。本体部分１１２ａは、略コの字状を呈している。左右の軸部１１２Ｌ，１１２Ｒは、本体部分１１２ａの両端から内側に向かって延びている。左の軸部１１２Ｌには、本体部分１１２ａ側に、凹部１１２ｃが形成されている。右の軸部１１２Ｒにも、本体部分１１２ａ側に、凹部１１２ｃが形成されている。そして、左右の軸部１１２Ｌ，１１２Ｒが、側壁１１１ａの左右側面において、長手方向中央の上部に形成される孔Ｐｘ，Ｐｘを通って、保護枠１１１ｄの左右の側面に形成される嵌合凹部Ｃｐ，Ｃｐに嵌合されている。
【００２７】
なお、嵌合凹部Ｃｐ、Ｃｐは、保護枠１１１ｄ自体に形成されてもよいし、保護枠１１１ｄに固設される部材に形成されてもよいし、本体１１０の板金自体に形成されてもよいし、板金に固設される部材に形成されてもよい。
【００２８】
図４および図８に示すように、左の嵌合凹部Ｃｐは、左方と、下方とに開放されている。右の嵌合凹部Ｃｐは、右方と、下方とに開放されている。
【００２９】
本実施の形態においては、左の嵌合凹部Ｃｐには、炊飯器１００の後方側に凸部１１１ｘが形成されている。凸部１１１ｘは、略直角に形成されている。これによって、取手１１２の左側が本体１１０に取り付けられた際には、凸部１１１ｘが凹部１１２ｃに嵌りこんで、取手１１２の左側が本体１１０から容易に抜けないように構成される。
【００３０】
同様に、右の嵌合凹部Ｃｐにも、炊飯器１００の後方側に凸部１１１ｘが形成されている。凸部１１１ｘは、略直角に形成されている。これによって、取手１１２の右側が本体１１０に取り付けられた際にも、凸部１１１ｘが凹部１１２ｃに嵌りこんで、取手１１２の右側が本体１１０から容易に抜けないように構成される。
【００３１】
より詳細には、炊飯器１００の組み立て時には、炊飯器１００の本体１１０を上下反対にした状態で、左右の軸部１１２Ｌ，１１２Ｒを、側壁１１１ａの孔Ｐｘ，Ｐｘに通す。そして、取手１１２を、その本体部分１１２ａ側が炊飯器１００の後方に来るように、すなわち軸部１１２Ｌ，１１２Ｒが炊飯器１００の前方に来るように、さらに換言すれば凹部１１２ｃ，１１２ｃが後方を向くような姿勢にした状態で、左右の軸部１１２Ｌ，１１２Ｒを上方から嵌合凹部Ｃｐ，Ｃｐに挿入する。つまり、保護枠１１１ｄに側壁１１１ａを取り付ける。このとき、嵌合凹部Ｃｐ，Ｃｐ内において、凹部１１２ｃ、１１２ｃに凸部１１１ｘ，１１１ｘが挟まれるようになり、嵌合凹部Ｃｐ，Ｃｐ内を軸部１１２Ｌ，１１２Ｒが回動可能に構成される。
【００３２】
そして、特に本実施の形態においては、左右の軸部１１２Ｌ，１１２Ｒには、取手１１２の本体部分１１２ａ側に、凹部１１２ｃ，１１２ｃが形成されており、逆側には凹部が形成されていない。つまり、左右の軸部１１２Ｌ，１１２Ｒの全周に凹部が形成されているわけではなく、一部に凹部が形成されている。そして、嵌合凹部Ｃｐ，Ｃｐに形成される凸部１１１ｘは、略直角に形成されている。これによって、取手１１２は、垂直上方から後方までの間は回動可能であるが、凹部１１２ｃ，１１２ｃが形成されていない部分が嵌合凹部Ｃｐ，Ｃｐの凸部１１１ｘ，１１１ｘと干渉するために、取手１１２は、前方や下方にまで回動してしまうことが防止されている。
【００３３】
また、本実施の形態においては、右の軸部１１２Ｒよりも左の軸部１１２Ｌの径の方が大きく形成されており、側壁１１１ａの右の孔Ｐｘの径よりも左の孔Ｐｘの径の方が大きく形成されている。そして、側壁１１１ａの右の孔Ｐｘの径は、左の軸部１１２Ｌが貫通できない程度の大きさに形成されている。つまり、組み立て時に、側壁１１１ａの右の孔Ｐｘに左の軸部１１２Ｌを差し込むことができないように構成されている。これによって、取手１１２の形状が、前後対称または左右対称でない場合などにおいても、取手１１２の取り付けを左右反対にしたままで組み立ててしまうことを防止することができる。
【００３４】
なお、軸部１１２Ｌ，１１２Ｒの径と、側壁１１１ａの孔Ｐｘ，Ｐｘの径とは、左右が逆であってもよい。
【００３５】
取手１１２の取り付けを左右反対にしてしまうことを防止する構成は、左右の軸部１１２Ｌ，１１２Ｒの径を異ならせる構成に限られない。たとえば、図９に示すように、左の軸部１１２Ｌの先端に凸部１１２ｚを設けるなどして、右の軸部１１２Ｒの凹部１１２ｃから軸部１１２Ｒの先端までの距離よりも左の軸部１１２Ｌの凹部１１２ｃから軸部１１２Ｌの先端までの距離の方が長く形成されてもよい。そして、右の嵌合凹部Ｃｐの凸部１１１ｘから奥の壁までの深さよりも左の嵌合凹部Ｃｐの凸部１１１ｘから奥の壁までの深さの方が深く形成されてもよい。この場合は、右の嵌合凹部Ｃｐの凸部１１１ｘから奥の壁までの深さは、左の軸部１１２Ｌの凹部１１２ｃから軸部１１２Ｌの先端までの距離よりも短く形成されている。つまり、組み立て時に、右の嵌合凹部Ｃｐに左の軸部１１２Ｌを差し込むことができないように構成されている。このようにしても、取手１１２の取り付けを左右反対にしたままで組み立ててしまうことを防止することができる。
【００３６】
図７および図８に戻って、本実施の形態においては、取手１１２の軸部１１２Ｌ，１１２Ｒの凹部１１２ｃ，１１２ｃの側面が、嵌合凹部Ｃｐ，Ｃｐの凸部１１１ｘ，１１１ｘの側面に押し付けられるように構成されている。これによって、取手１１２が垂直方向から前方または後方へ倒れる際に、両者の対向面同士に摩擦力が生じることになり、ユーザが保持しなくても取っ手がゆっくりと倒れるようになる。
【００３７】
加えて、凹部１１２ｃ，１１２ｃの側面に段差１１２ｙ、１１２ｙを設けたり、逆に凸部１１１ｘ，１１１ｘの側面に段差を設けたりしてもよい。これによって、当該段差の高さや面積を調節することによって摩擦力の大きさを容易に調節することが可能になる。
【００３８】
さらに、左右の軸部１１２Ｌ，１１２Ｒの基部と側壁１１１ａとの間に摩擦力が生じるように構成してもよい。具体的には、側壁１１１ａの軸部１１２Ｌ，１１２Ｒの基部付近と対向する位置に、すなわち孔Ｐｘ，Ｐｘの周りに２箇所の凸部を設けるなどして、軸部１１２Ｌ，１１２Ｒの基部と孔Ｐｘ，Ｐｘの周囲の凸部とがこすれやすくする。これによって、当該凸部の高さや広さなどを調節することによって取手１１２と側壁１１１ａとの間の摩擦力の大きさを容易に調節することが可能になる。
【００３９】
なお、摩擦が生じるのは上記の接触面に限らず、軸部１１２Ｌ，１１２Ｒの先端と嵌合凹部Ｃｐ，Ｃｐの奥の壁とを接触させて両者の間に摩擦力を生じさせる構成であってもよいし、軸部１１２Ｌ，１１２Ｒの外周と側壁１１１ａの孔Ｐｘ，Ｐｘの内周との間に摩擦力を生じさせる構成であってもよい。
【００４０】
（３）断熱材
図３および図４に戻って、断熱材は、保護枠１１１ｄの内鍋収容部ＰＡの側壁および誘導加熱コイル１１３の外周に巻き付けられており、炊飯時において内鍋１３０から生じる熱が内鍋収容部ＰＡの外側に流出するのを抑制する役割を担っている。
【００４１】
（４）誘導加熱コイル
誘導加熱コイル１１３は、内鍋１３０を誘導加熱する誘導加熱源であって、図３および図４に示されるように保護枠１１１ｄの内鍋収容部ＰＡの底壁部および側壁下端部の外側に配設されている。
【００４２】
（５）フェライトコア組立体
フェライトコア組立体１２１は、図４に示されるように誘導加熱コイル１１３の周囲に配設されている。フェライトコアは、通電時に誘導加熱コイル１１３から発生する電磁波が外部に漏れ出るのを抑制する役目を担っている。
【００４３】
（６）サーミスタ
サーミスタ１１４は、温度センサであって、図３に示されるように、保護枠１１１ｄの内鍋収容部ＰＡの底壁部の中央部に形成された開口を通って、上方に向かって突出している。なお、このサーミスタ１１４は、コイルバネ等の付勢部材によって上方に付勢されている。すなわち、このサーミスタ１１４は、上下方向に沿って出没自在な状態とされている。また、このサーミスタ１１４は、内鍋検知センサ（図示せず）に組み込まれている。内鍋検知センサは、炊飯器内に内鍋１３０が存在するか否かを判断するためのものであって、サーミスタ１１４が下端位置まで下がると、検知信号を制御回路基板１１９のマイクロコンピュータに送信する。マイクロコンピュータは、検知信号を受信すると、炊飯器内に内鍋１３０が存在すると判断する。なお、マイクロコンピュータが、炊飯器内に内鍋１３０が存在しないと判断した場合、炊飯運転が開始されない。ところで、このサーミスタ１１４は、図３に示されるように略円盤状のカバー部材１２７によって支持されている。このカバー部材１２７は、保護枠１１１ｄの内鍋収容部ＰＡの底壁にネジ止めされている。
【００４４】
（７）送風ファン
送風ファン１１５は、上述の通り、筐体１１１の底壁１１１ｂに形成される吸気口Ｏｓの直上に、回転軸が略上下方向に沿うようにして配設されている（図３参照）。すなわち、この送風ファン１１５が駆動されると、外部の空気が吸気口Ｏｓから吸い込まれて筐体内に流入し、そのまま上方に向かって送られる。上方に向かって送られた外部の空気は、ヒートシンク１１６を通って電源回路基板１１８および制御回路基板１１９などに供給されて、それらの部材等を冷却する。
【００４５】
（８）ヒートシンク
ヒートシンク１１６は、外部の空気と効率よく熱交換を行わせる部品である。
【００４６】
（９）操作パネル
操作パネル１１７は、炊飯器１００の運転方法を決定して実行するためのものであって、図１〜図４に示されるように、主に、パネル本体１１７ａおよび押圧ボタンＢＴ等から構成されており、上述の通り、肩部材１１１ｃの前側の上側に配設されている。
【００４７】
（１０）電源回路基板
電源回路基板１１８は、電源回路を構成する基板であって、いくつかの発熱部品を実装している。なお、この電源回路基板１１８は、図３に示されるように、後述する制御回路基板１１９と同様に筐体１１１の前側空間ＳＰｆに収容されている。
【００４８】
（１１）制御回路基板
制御回路基板１１９は、制御回路を構成する基板であって、マイクロコンピュータ等の電子部品を実装している。そして、この制御回路基板１１９は、図３に示されるように、筐体１１１の前側空間ＳＰｆにおいて、ヒートシンク１１６の上方、操作パネル１１７の下側に配設される基板支持部材１１１ｅに支持されている。
【００４９】
（１２）自動巻取式電源コードユニット
自動巻取式電源コードユニット１２０は、電源コードおよび自動巻取機構（図示せず）等から構成されており、図３に示されるように筐体１１１の後側の空間に収容されている。電源コードは、差込プラグ（図示せず）および電気線（図示せず）から構成されている。差込プラグは、電気線の先端に配設されている。電気線は、伸展自在に自動巻取機構に巻回されている。
【００５０】
２．内鍋
内鍋１３０は、上方に開口する椀状の鍋であって、肩部材１１１ｃの開口に挿通されると共に、保護枠１１１ｄの内鍋収容部ＰＡに所定の隙間をもって収容される。なお、ここで、内鍋１３０は、種々のアルミニウム合金およびステンレス合金の多層体（クラッド材）であって、誘導加熱コイル１１３によって誘導加熱され得る。
【００５１】
３．蓋体
蓋体１４０は、図１〜図４に示されるように、主に、外装体１４１、開閉ボタン１４２、圧力調整機構１４３、補強部材１４４、内蓋１４５およびレバー部材１４６から構成されている。ヒンジ機構１５０を介して本体１１０に回動自在に取り付けられている。
【００５２】
外装体１４１は、図１および図３に示されるように、略直方体状の部材であって、開閉ボタン１４２、圧力調整機構１４３およびレバー部材１４６等を収容している。なお、ここで、開閉ボタン１４２は、図１および図３に示されるように、上面が外装体１４１の上側に露出するように外装体１４１に配設されている。また、ここで、この外装体１４１は、使用時の内圧に耐えることができるように補強部材によって補強されている。さらに、この外装体１４１の下面には、着脱自在に内蓋１４５が配設されている。
【００５３】
開閉ボタン１４２は、蓋体１４０を開閉するための角丸長方形状のボタンであって、レバー部材１４６の上側に配設されている。なお、この開閉ボタン１４２は、コイルバネ（図示せず）によって上方に向かって付勢されている。
【００５４】
レバー部材１４６は、当接板部（図示せず）と、当接板部の前側から下方に延びる左右一対の延設板部（図示せず）と、各延設板部の下部から後方に向かって延びる爪部（図示せず）とから形成される金属板部材であって、外装体１４１に軸支されていると共に、当接板部の後端でコイルバネ（図示せず）によって上方に向かって付勢されている。なお、ここで、使用者によって開閉ボタン１４２が押し下げられると、開閉ボタン１４２は、レバー部材１４６の当接板部のうち回動軸の後側の部位に当接する。
【００５５】
そして、使用者が蓋体１４０を閉状態としようとするとき、使用者は開閉ボタン１４２を操作する必要がなく、そのまま蓋体１４０を本体１１０に向かって倒し込めばよい。このとき、レバー部材１４６の爪部が、肩部材１１１ｃに形成される傾斜面（図示せず）に接触しながら下方に移動していく。この間、レバー部材１４６は、コイルバネの付勢力に逆らって前方に向かって回動する。そして、爪部が、肩部材１１１ｃに形成される爪受孔（図示せず）まで達すると、コイルバネの付勢力により爪部がその爪受孔に嵌り込む。このようにして蓋体１４０が閉状態となる。一方、蓋体１４０を開状態とするとき、使用者は、開閉ボタン１４２を押し下げる。すると、開閉ボタン１４２の下端部位がレバー部材１４６の当接部に当接し、レバー部材１４６がコイルバネの付勢力に逆らって前方に向かって回動する。このとき、爪受孔に嵌り込んでいた爪部が爪受孔から引き出される。そして、ヒンジ機構１５０の付勢力により蓋体１４０が上方に持ち上げられ、蓋体１４０が開状態となる。
【００５６】
圧力調整機構１４３は、蓋体１４０が閉状態とされ圧力炊飯運転されている状態において、内鍋１３０の内部の圧力を１．０３〜１．３気圧に調整する。また、この圧力調整機構１４３は、圧力炊飯運転中、蓋体１４０を開状態としないようにレバー部材１４６の回動を規制する。なお、本実施の形態において、この圧力調整機構としては、特に限定されず、従前のものが採用されてもかまわない。
【００５７】
補強部材は、蓋体１４０の強度を高めるためのものである。なお、本実施の形態において、補強部材は、特に限定されず、金属板そのものであってもよいし、金属板を複雑形状にしたものであってもよい。
【００５８】
内蓋１４５は、図３に示されるように内鍋１３０の上部を覆って密閉するための部材である。
【００５９】
４．ヒンジ機構
ヒンジ機構１５０は、上述の通り、蓋体１４０が本体１１０に対して回動自在となるように蓋体１４０を本体１１０に取り付けている。なお、上述の通り、このヒンジ機構１５０は、蓋体１４０を開方向に向かって付勢している。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００６１】
１００    ：炊飯器
１１０    ：本体
１１１    ：筐体
１１１ａ  ：側壁
１１１ｂ  ：底壁
１１１ｃ  ：肩部材
１１１ｄ  ：保護枠
１１１ｅ  ：基板支持部材
１１１ｘ  ：凸部
１１２    ：取手
１１２Ｌ  ：軸部
１１２Ｒ  ：軸部
１１２ａ  ：本体部分
１１２ｃ  ：凹部
１１２ｙ  ：段差
１１２ｚ  ：凸部
１１３    ：誘導加熱コイル
１１４    ：サーミスタ
１１５    ：送風ファン
１１６    ：ヒートシンク
１１７    ：操作パネル
１１７ａ  ：パネル本体
１１８    ：電源回路基板
１１９    ：制御回路基板
１２０    ：自動巻取式電源コードユニット
１２１    ：フェライトコア組立体
１２７    ：カバー部材
１３０    ：内鍋
１４０    ：蓋体
１４１    ：外装体
１４２    ：開閉ボタン
１４３    ：圧力調整機構
１４４    ：補強部材
１４５    ：内蓋
１４６    ：レバー部材
１５０    ：ヒンジ機構
ＢＴ      ：押圧ボタン
Ｃｐ      ：嵌合凹部
ＦＰ      ：フランジ部
Ｏｓ      ：吸気口
ＰＡ      ：内鍋収容部
Ｐｘ      ：孔
ＳＰｆ    ：前側空間
ＳＵ      ：支持部
【図１】
2020192054.tif 000003
【図２】
2020192054.tif 000004
【図３】
2020192054.tif 000005
【図４】
2020192054.tif 000006
【図５】
2020192054.tif 000007
【図６】
2020192054.tif 000008
【図７】
2020192054.tif 000009
【図８】
2020192054.tif 000010
【図９】
2020192054.tif 000011